(57)【要約】本発明の照明装置は、並列配置される複数の放電管１７と、前記複数の放電管１７を並列駆動するための駆動電力を供給する電源１７０と、を備え、前記放電管１７の各々には、当該放電管１７の一方端側と他方端側に対してそれぞれ逆位相の前記駆動電力が供給されており、並列配置された前記放電管１７の各々における同一方向の片端側のみに、前記電源１７０と前記放電管１７の各々との間に介在して、前記複数の放電管１７の各々に供給される前記駆動電力の電流量を均一化するコンデンサ５６が接続されていることを特徴とする。
2010097995.tif 000002
【特許請求の範囲】
【請求項１】
並列配置される複数の放電管と、
前記複数の放電管を並列駆動するための駆動電力を供給する電源と、を備え、
前記放電管の各々には、当該放電管の一方端側と他方端側に対してそれぞれ逆位相の前記駆動電力が供給されており、
並列配置された前記放電管の各々における同一方向の片端側のみに、前記電源と前記放電管の各々との間に介在して、前記複数の放電管の各々に供給される前記駆動電力の電流量を均一化するコンデンサが接続されていることを特徴とする照明装置。
【請求項２】
前記電源は、１つのトランスを備えるとともに、当該トランスから前記逆位相の前記駆動電力をそれぞれ出力することを特徴とする請求項１に記載の照明装置。
【請求項３】
前記電源は、前記放電管の前記コンデンサが接続された片端側に、他端側よりも高電圧の前記駆動電力を供給することを特徴とする請求項１又は請求項２に記載の照明装置。
【請求項４】
前記電源は、１つの一次コイルに対して、相対的に巻数の多い第１の二次コイルと相対的に巻数の少ない第２の二次コイルが配されたトランスを有し、
前記第１の二次コイルが、前記放電管の前記コンデンサが接続された片端側に、前記第２の二次コイルが、前記放電管の他端側に接続されていることを特徴とする請求項１から請求項３のいずれか１項に記載の照明装置。
【請求項５】
前記複数の放電管の端部を支持する支持部材と、
前記支持部材上に配置され、前記複数の放電管を個別に保持するとともに、前記電源に接続されて、前記複数の放電管の各々に対する前記駆動電力の供給用端子として機能する複数の接続端子と、
を備えることを特徴とする請求項１から請求項４のいずれか１項に記載の照明装置。
【請求項６】
前記支持部材は、並列配置された前記放電管の両側をそれぞれ支持するように、当該放電管の両側に沿って配置されていることを特徴とする請求項５に記載の照明装置。
【請求項７】
前記コンデンサは、前記支持部材上に配置されていることを特徴とする請求項５又は請求項６に記載の照明装置。
【請求項８】
前記放電管の端部には、前記接続端子と電気的に接続可能な口金が配されていることを特徴とする請求項５から請求項７のいずれか１項に記載の照明装置。
【請求項９】
前記放電管は、線状のガラス管と、前記ガラス管の両端から当該ガラス管と同軸状に且つ直線状に突出するアウターリードと、当該アウターリードと電気的に接続されるとともに前記ガラス管の両端部に取り付けられた口金と、を備え、
前記口金が、前記接続端子と電気的に接続してなることを特徴する請求項５から請求項８のいずれか１項に記載の照明装置。
【請求項１０】
前記放電管は、線状のガラス管と、前記ガラス管の両端から当該ガラス管と同軸状に且つ直線状に突出するアウターリードと、を備え、
前記接続端子は、導電性ゴムで形成されて前記アウターリードを挿入可能な開口部を有する中継本体部を備え、
前記アウターリードは、前記中継本体部の前記開口部内に挿入されて、当該開口部の内面に弾性接触してなることを特徴とする請求項５から請求項８のいずれか１項に記載の照明装置。
【請求項１１】
前記中継本体部は、前記開口部が、前記アウターリードを挿入しない状態で当該アウターリードの外径よりも小さい孔径を有してなることを特徴とする請求項１０に記載の照明装置。
【請求項１２】
前記コンデンサと前記放電管との間の各々に中継電極が配されるとともに、前記放電管が前記駆動電力の供給を受けるための端子部を備え、
前記中継電極は、前記端子部を載置可能な載置面を備えるとともに、前記端子部を前記載置面に載置した状態で、前記放電管に対する前記駆動電力の供給が可能となるものとされ、
前記放電管を前記中継電極の前記載置面側に付勢する付勢部材が、前記中継電極とは別体で具備されていることを特徴とする請求項１から請求項４のいずれか１項に記載の照明装置。
【請求項１３】
前記複数の放電管の端部を支持する支持部材を備え、
前記支持部材上には、前記中継電極と前記コンデンサが配設されていることを特徴とする請求項１２に記載の照明装置。
【請求項１４】
前記中継電極は、前記載置面上に導電性の弾性部材を有し、
前記弾性部材は、前記端子部が当該載置面に載置された状態で、当該載置面と前記端子部との間に弾性変形した形で介在することを特徴とする請求項１２又は請求項１３に記載の照明装置。
【請求項１５】
前記放電管の端部を覆う放電管被覆部材を備え、
前記放電管被覆部材が、前記付勢部材として、前記放電管を前記載置面側に付勢してなることを特徴とする請求項１２から請求項１４のいずれか１項に記載の照明装置。
【請求項１６】
前記放電管被覆部材には緩衝部材が配されており、
前記放電管被覆部材が前記放電管を覆った状態で、前記放電管被覆部材と前記放電管との間に前記緩衝部材が介在することを特徴とする請求項１５に記載の照明装置。
【請求項１７】
前記放電管被覆部材には、前記放電管に当接して当該放電管を前記載置面側に付勢する付勢部が形成され、
前記付勢部が、蛇腹状に形成されて弾性変形可能に構成されていることを特徴とする請求項１５に記載の照明装置。
【請求項１８】
前記載置面に前記端子部を載置した状態で、前記放電管の軸線方向に沿った当該放電管の移動を規制する放電管移動規制部材を有することを特徴とする請求項１２から請求項１７のいずれか１項に記載の照明装置。
【請求項１９】
前記放電管移動規制部材は、前記中継電極の端部において前記載置面から起立する壁部材であることを特徴とする請求項１８に記載の照明装置。
【請求項２０】
前記放電管が管状にて構成され、前記端子部は当該放電管の形状に沿った管状を有してなり、
前記中継電極は、前記載置面に前記端子部を載置した状態で、前記端子部の下端側を受容する円弧状受容部材を備えることを特徴とする請求項１２から請求項１９のいずれか１項に記載の照明装置。
【請求項２１】
前記円弧状受容部材は、前記放電管の軸線方向に交わる方向の断面形状が、半円以下の円弧形状を有してなることを特徴とする請求項２０に記載の照明装置。
【請求項２２】
前記中継電極は、導電性ゴムから構成されていることを特徴とする請求項１２から請求項２１のいずれか１項に記載の照明装置。
【請求項２３】
前記放電管は、線状のガラス管と、当該ガラス管の端部を取り囲む形で
配され、前記端子部として機能する口金と、を有することを特徴とする請求項１２から請求項２２のいずれか１項に記載の照明装置。
【請求項２４】
請求項１から請求項２３のいずれか１項に記載の照明装置と、
前記照明装置からの光を利用して表示を行う表示パネルと、を備えることを特徴とする表示装置。
【請求項２５】
前記表示パネルが液晶を用いた液晶パネルであることを特徴とする請求項２４に記載の表示装置。
【請求項２６】
請求項２４又は請求項２５に記載の表示装置を備えたことを特徴とするテレビ受信装置。
【発明の詳細な説明】
【技術分野】
【０００１】
本発明は、照明装置、表示装置、テレビ受信装置に関するものである。
【背景技術】
【０００２】
液晶表示装置に代表される非発光型の光学素子を用いた表示装置においては、液晶パネル等の表示パネルに対して光を照射すべく、当該表示パネルの背面にはバックライト装置が設けられている（例えば特許文献１参照）。
【先行技術文献】
【特許文献】
【０００３】
【特許文献１】特開２００６−１９２６０号公報
【０００４】
（発明が解決しようとする課題）
上記特許文献１に開示されたバックライト装置では、並列駆動可能なＣＣＦＬの構造が具備されている。すなわち、特許文献１には、並列に接続された複数個の冷陰極線管ランプと、その複数個の冷陰極線管ランプの両端にそれぞれ接続されて、冷陰極線管ランプに供給される電流量を均一化するコンデンサと、該コンデンサに接続されて冷陰極線管ランプへの駆動電力を供給するインバータと、を含む構成が開示されている。このような構成により、ＣＣＦＬを並列駆動して、均一な輝度を得ることが可能とされている。ところが特許文献１では、各冷陰極線管ランプに対するコンデンサの配置についての詳細は開示されておらず、各冷陰極線管の両端にコンデンサが接続されるという構成のみが開示されているに過ぎない。
【発明の概要】
【０００５】
本発明は、複数の放電管を並列駆動する構成を備え、特に安価で動作性能に優れた照明装置を提供することを目的としている。
また、本発明は、そのような照明装置を備えた表示装置、さらにはそのような表示装置を備えたテレビ受信装置を提供することを目的としている。
【０００６】
（課題を解決するための手段）
上記課題を解決するために、本発明の照明装置は、並列配置される複数の放電管と、前記複数の放電管を並列駆動するための駆動電力を供給する電源と、を備え、前記放電管の各々には、当該放電管の一方端側と他方端側に対してそれぞれ逆位相の前記駆動電力が供給されており、並列配置された前記放電管の各々における同一方向の片端側のみに、前記電源と前記放電管の各々との間に介在して、前記複数の放電管の各々に供給される前記駆動電力の電流量を均一化するコンデンサが接続されていることを特徴とする。
【０００７】
このような照明装置によると、複数の放電管の並列駆動が可能となり、しかも各放電管の同一方向の片側のみにコンデンサを配置したものであるため、両側にコンデンサを配置した構成に比して安価なものとなる。
【０００８】
前記電源は、１つのトランスを備えるとともに、当該トランスから前記逆位相の前記駆動電力をそれぞれ出力するものとすることができる。
このように１つのトランスで逆位相の駆動電力を出力するものとすれば、更なるコスト削減を実現することが可能となる。
【０００９】
前記電源は、前記放電管の前記コンデンサが接続された片端側に、他端側よりも高電圧の前記駆動電力を供給するものとすることができる。
両側に駆動電力が供給される照明装置において、放電管に対する駆動電力の供給態様として、コンデンサが接続された片端側に、コンデンサが接続されていない他端側よりも高電圧の駆動電力を供給するものとすれば、放電管の仮想グランドの位置が中心にシフトされ、輝度の左右対称性を高めることが可能となる。なお、本発明において「放電管の一方端側と他方端側に対してそれぞれ逆位相の前記駆動電力が供給される」は、言い換えると「放電管の一方端側と他方端側に対し、それぞれグランド電位に対して逆位相の高電位が付与されている」ということができる。
【００１０】
前記電源は、１つの一次コイルに対して、相対的に巻数の多い第１の二次コイルと相対的に巻数の少ない第２の二次コイルが配されたトランスを有し、前記第１の二次コイルが、前記放電管の前記コンデンサが接続された片端側に、前記第２の二次コイルが、前記放電管の他端側に接続されているものとすることができる。
このようなトランスにより、コンデンサが接続された片端側に、コンデンサが接続されていない他端側よりも高電圧の駆動電力を供給することが可能となるとともに、更なるコスト削減を実現することが可能となる。
【００１１】
前記複数の放電管の端部を支持する支持部材と、前記支持部材上に配置され、前記複数の放電管を個別に保持するとともに、前記電源に接続されて、前記複数の放電管の各々に対する前記駆動電力の供給用端子として機能する複数の接続端子と、を備えるものとすることができる。
このように、放電管の端部を支持する支持部材上に上記構成の接続端子を備えるものとすれば、放電管の位置決めと放電管への通電を同時に行うことが可能となり、構成が簡便となるとともにコスト削減を実現可能となる。
【００１２】
前記支持部材は、並列配置された前記放電管の両側をそれぞれ支持するように、当該放電管の両側に沿って配置されているものとすることができる。
このような構成によると、コンデンサが配置された側と配置されていない側の双方において、支持部材による放電管の位置決めと放電管への通電を同時に行うことが可能となり、更なる構成の簡便化を実現できるようになる。
【００１３】
前記コンデンサは、前記支持部材上に配置されているものとすることができる。
放電管の片端側にコンデンサを配置する構成について、当該コンデンサを上記支持部材上に配置すれば、放電管の位置決めと放電管への通電に係る構成が一層簡便なものとなり、更なるコスト削減を実現可能となる。
【００１４】
前記放電管の端部には、前記接続端子と電気的に接続可能な口金が配されているものとすることができる。
このような口金を備えた放電管は、接続端子への組み付けと同時に当該口金と接続端子との電気的接続を実現することが可能となるなど、簡便な構成で、製造工程における大幅なコスト削減に寄与することができる。
特に、前記放電管は、線状のガラス管と、前記ガラス管の両端から当該ガラス管と同軸状に且つ直線状に突出するアウターリードと、当該アウターリードと電気的に接続されるとともに前記ガラス管の両端部に取り付けられた口金と、を備え、前記口金が、前記接続端子と電気的に接続してなるものとするのが良い。
【００１５】
前記放電管は、線状のガラス管と、前記ガラス管の両端から当該ガラス管と同軸状に且つ直線状に突出するアウターリードと、を備え、前記接続端子は、導電性ゴムで形成されて前記アウターリードを挿入可能な開口部を有する中継本体部を備え、前記アウターリードは、前記中継本体部の前記開口部内に挿入されて、当該開口部の内面に弾性接触してなるものとすることができる。
この場合、口金等の外部電極を用いることなく、アウターリードを中継本体部の開口部に挿入することのみで、放電管に対して簡便に電気導通を図ることが可能となる。その結果、部品点数の削減により、コスト削減に寄与することが可能となる。また、中継本体部を導電ゴムで形成したため、当該導電ゴムの弾性変形を利用して、アウターリードを開口部へ挿入した状態で当該アウターリードと開口部の内面との確実な接触（導電）も確保可能となる。つまり、弾性接触によりアウターリードと開口部内面との間に僅かな位置ズレ（相対移動）が生じた場合にも両者の接触を確実に確保することが可能となる上、中継本体部（開口部）及び放電管（アウターリード）において製造上の寸法誤差等が生じた場合にも、当該弾性が誤差を吸収しアウターリードと開口部内面との接触を確実にとることができ、その点で導電性について高い信頼性を具備したものとなる。その結果、導電不良に基づく発光不良等が生じ難い照明装置を提供することが可能となるのである。さらに、中継本体部がゴムであることから、アウターリードは開口部内面に弾性接触しており、その結果、当該アウターリードに過剰の応力が掛かり難く、破損が生じ難いものとなり、発光不良等の不具合が生じ難い信頼性の高い照明装置を提供することが可能となる。
【００１６】
前記中継本体部は、前記開口部が、前記アウターリードを挿入しない状態で当該アウターリードの外径よりも小さい孔径を有してなるものとすることができる。
このように開口部がアウターリードの外径よりも小さい口径を有するものとすれば、開口部へのアウターリードの挿入により、当該開口部は弾性変形により拡口し、その弾性復帰力により、開口部内面はアウターリードに対して確実に弾性接触することとなる。その結果、上述したような確実な電気導通を確保することが可能となる。
【００１７】
前記コンデンサと前記放電管との間の各々に中継電極が配されるとともに、前記放電管が前記駆動電力の供給を受けるための端子部を備え、前記中継電極は、前記端子部を載置可能な載置面を備えるとともに、前記端子部を前記載置面に載置した状態で、前記放電管に対する前記駆動電力の供給が可能となるものとされ、前記放電管を前記中継電極の前記載置面側に付勢する付勢部材が、前記中継電極とは別体で具備されているものとすることができる。
この場合、中継電極が、端子部を載置面に載置した状態で放電管に対する駆動電力の供給が可能となるものとされ、しかも放電管を載置面側に付勢する付勢部材を中継電極と別体で具備してなるため、中継電極を極めて簡便な構成とすることができ、しかも放電管に対して確実に導通をとることが可能となる。つまり、付勢部材を中継電極と別体で設けたため、中継電極は載置面により端子部を載置するのみの構成で足り、クリップ等の保持部材により放電管を保持ないし固定するための構成が必要ないものとなり、構成を簡便化することが可能となるのである。具体的には、中継電極を載置面のみを有したチップ状ないし短冊状の電極、或いは放電管の下端側を受けるのみの構成である皿状ないし御椀状の電極等を例示することができる。
【００１８】
前記複数の放電管の端部を支持する支持部材を備え、前記支持部材上には、前記中継電極と前記コンデンサが配設されているものとすることができる。
このように中継電極とコンデンサとを支持部材上に配設することで、放電管の位置決めと放電管への電力供給に係る構成が一層簡便なものとなる。
【００１９】
前記中継電極は、前記載置面上に導電性の弾性部材を有し、前記弾性部材は、前記端子部が当該載置面に載置された状態で、当該載置面と前記端子部との間に弾性変形した形で介在するものとすることができる。
このような構成によると、導電性の弾性部材が弾性変形した状態で載置面と端子部との間に介在するため、端子部と載置面（中継電極）との導通を確実にとることが可能となる。つまり、付勢部材により端子部が載置面側に付勢されて当該端子部と載置面との接触が確実に行われるが、載置面側に弾性部材を付与することで、端子部と載置面との間に僅かな位置ズレ（相対移動）が生じた場合にも両者の接触を確実に確保することが可能となり、一層確実な導通を確保できるようになるのである。また、中継電極、放電管、及び付勢部材において製造上の寸法誤差等が生じた場合にも、当該弾性部材が誤差を吸収し端子部と載置面との接触を確実にとることができる。
【００２０】
前記放電管の端部を覆う放電管被覆部材を備え、前記放電管被覆部材が、前記付勢部材として、前記放電管を前記載置面側に付勢してなるものとすることができる。また、この場合、前記端子部は前記放電管の端部に配されているものとすることができる。
放電管の端部を覆う放電管被覆部材を付勢部材として構成することで、当該照明装置の構成の簡便化を図ることが可能となる。放電管の端部には電極等を備える端子部が形成され得るが、そのような端子部は非発光部分となるため影が形成され、その影が照明光の中に映し出されることを防止するために放電管被覆部材により被覆することが好ましい。そこで、上記のように、放電管の端部を覆う放電管被覆部材により放電管を被覆し且つ放電管を載置面側に付勢することにより、簡便な構成で確実な導通を図ることができるのである。なお、放電管被覆部材の表面に光反射性を具備させることで、端部の影を隠す効果が一層効果的なものとなる。
【００２１】
前記放電管被覆部材には緩衝部材が配されており、前記放電管被覆部材が前記放電管を覆った状態で、前記放電管被覆部材と前記放電管との間に前記緩衝部材が介在するものとすることができる。
このような構成によると、放電管被覆部材が過度に放電管を付勢し、当該放電管を傷つけたり破壊したりする不具合の発生を防止することが可能となる。つまり、緩衝部材により付勢力が緩和され、且つ適度な載置面との接触を確保することが可能となるのである。なお、緩衝部材は、例えばスポンジや布等の付勢力を吸収可能な部材を例示することができる。
【００２２】
前記放電管被覆部材には、前記放電管に当接して当該放電管を前記載置面側に付勢する付勢部が形成され、前記付勢部が、蛇腹状に形成されて弾性変形可能に構成されているものとすることができる。
このような構成によると、放電管被覆部材が過度に放電管を付勢し、当該放電管を傷つけたり破壊したりする不具合の発生を防止することが可能となる。つまり、弾性変形する付勢部により付勢力が緩和され、且つ適度な載置面との接触を確保することが可能となるのである。
【００２３】
前記載置面に前記端子部を載置した状態で、前記放電管の軸線方向に沿った当該放電管の移動を規制する放電管移動規制部材を有するものとすることができる。
このような構成により放電管の軸線方向への移動が規制され、例えば端子部と端子面との位置ズレに起因する導通不良等が生じ難いものとなる。つまり、放電管を把持しない載置面のみを有したような中継電極に対し、少なくとも軸線方向への移動を規制する部材（放電管移動規制部材）を設けておけば、確実な導通性を確保することが可能となるのである。
【００２４】
前記放電管移動規制部材は、前記中継電極の端部において前記載置面から起立する壁部材であるものとすることができる。
このような壁部材により、放電管の軸線方向への移動を確実に規制することができる。
【００２５】
前記放電管が管状にて構成され、前記端子部は当該放電管の形状に沿った管状を有してなり、前記中継電極は、前記載置面に前記端子部を載置した状態で、前記端子部の下端側を受容する円弧状受容部材を備えるものとすることができる。
このように端子部の下端側を受容する部材（円弧状受容部材）を備えることで、放電管（端子部）をある程度位置決めすることができるようになる。特に下端側を受容する構成であるため、放電管を挟持する構成に比して、当該円弧状受容部材が損傷することもなく、補強部材等の特別の部材を別途付加する必要もないものとなる。
【００２６】
前記円弧状受容部材は、前記放電管の軸線方向に交わる方向の断面形状が、半円以下の円弧形状を有してなるものとすることができる。
このような半円以下の円弧形状を有した円弧状受容部材により、放電管の下端側のみを確実に受容することが可能となる。
【００２７】
前記中継電極は、導電性ゴムから構成されているものとすることができる。
このように導電性ゴムにより中継電極を構成することで、当該中継電極に対して弾性を付与することができる。そして、そのような弾性により端子部と載置面との間に僅かな位置ズレ（相対移動）が生じた場合にも両者の接触を確実に確保することが可能となり、一層確実な導通を確保できるようになる。また、中継電極、放電管、及び付勢部材において製造上の寸法誤差等が生じた場合にも、当該弾性が誤差を吸収し端子部と載置面との接触を確実にとることができる。
【００２８】
前記放電管は、線状のガラス管と、当該ガラス管の端部を取り囲む形で配され、前記端子部として機能する口金と、を有するものとすることができる。
このような口金を備えたガラス管から構成される放電管に対して、上記のような中継電極を設けて通電を行うものとすれば、当該放電管に対する電力供給に係る構成を極めて簡便化することができるようになる。
【００２９】
次に、上記課題を解決するために、本発明の表示装置は、上記本発明に係る照明装置と、前記照明装置からの光を利用して表示を行う表示パネルと、を備えることを特徴とする。
このような表示装置によると、照明装置において構成の簡便化及びコスト削減を実現できるため、当該表示装置においてもコスト削減を実現することが可能となる。
【００３０】
前記表示パネルとしては液晶パネルを例示することができる。このような表示装置は液晶表示装置として、種々の用途、例えばテレビやパソコンのデスクトップ画面等に適用でき、特に大型画面用として好適である。また、本発明のテレビ受信装置は、上記表示装置を備えることを特徴とする。
【００３１】
（発明の効果）
本発明によると、複数の放電管を並列駆動する構成を備え、安価で動作性能に優れた照明装置を提供することが可能となる。また、本発明によると、そのような照明装置を備えた表示装置、さらにはそのような表示装置を備えたテレビ受信装置を提供することが可能となる。
【図面の簡単な説明】
【００３２】
【図１】第１実施形態のテレビ受信装置の概略構成を示す分解斜視図。
【図２】液晶表示装置（表示装置）の概略構成を示す分解斜視図。
【図３】図２のＡ−Ａ線断面図。
【図４】バックライト装置（照明装置）の要部構成を示す正面図。
【図５】図４の要部構成のうち冷陰極管を省略して示す正面図。
【図６】バックライト装置の要部構成を示す背面図。
【図７】第１光源保持部材の構成を示す斜視図。
【図８】第２光源保持部材の構成を示す斜視図。
【図９】第１光源保持部材側における冷陰極管に対する駆動電力の供給機構を示す説明図。
【図１０】第２光源保持部材側における冷陰極管に対する駆動電力の供給機構を示す説明図。
【図１１】電力供給に係る回路構成を示す説明図。
【図１２】クリップ端子の構成を示す斜視図。
【図１３】冷陰極管の構成を示す斜視図。
【図１４】冷陰極管が備える口金の構成を示す平面図。
【図１５】クリップ端子に冷陰極管を保持させた状態の構成を示す正面図。
【図１６】クリップ端子に冷陰極管を保持させた状態の構成を示す平面図。
【図１７】口金の一変形例を示す斜視図。
【図１８】シャーシとクリップ端子とを絶縁する機構の一例を示す説明図。
【図１９】シャーシとクリップ端子とを絶縁する機構の一例を示す説明図。
【図２０】第２実施形態のテレビ受信装置の液晶表示装置が備える照明装置の要部構成を示す正面図。
【図２１】図２０の要部構成のうち冷陰極管を省略して示す正面図。
【図２２】照明装置の要部構成を示す背面図。
【図２３】第１中継部材の構成を示す斜視図。
【図２４】第２中継部材の構成を示す斜視図。
【図２５】第１中継部材側における電力供給に係る回路構成を示す説明図。
【図２６】第２中継部材側における電力供給に係る回路構成を示す説明図。
【図２７】冷陰極管の構成を示す斜視図。
【図２８】冷陰極管の構成を示す断面図。
【図２９】電力供給に係る構成を模式的に示す説明図。
【図３０】中継本体部の構成を示す斜視図。
【図３１】冷陰極管を中継本体部に取り付ける態様を示す説明図。
【図３２】中継本体部に冷陰極管を取り付けた状態の構成を示す説明図。
【図３３】中継本体部の一変形例を示す平面図。
【図３４】中継部材の一変形例を示す斜視図。
【図３５】第３実施形態のテレビ受信装置の液晶表示装置が備える照明装置の要部構成を示す正面図。
【図３６】図３５の要部構成のうち冷陰極管を省略して示す正面図。
【図３７】照明装置の要部構成を示す背面図。
【図３８】第１電力中継基板の構成を示す斜視図。
【図３９】第１電力中継基板側における冷陰極管に対する駆動電力の供給機構を示す説明図。
【図４０】第２電力中継基板の構成を示す斜視図。
【図４１】第１電力中継基板側における冷陰極管に対する駆動電力の供給機構を示す説明図。
【図４２】電力供給に係る構成を模式的に示す説明図。
【図４３】中継電極の構成を示す斜視図。
【図４４】ランプホルダの構成を示す斜視図。
【図４５】中継電極に冷陰極管を載置させた状態の構成を示す正面図。
【図４６】中継電極に冷陰極管を載置させた状態の構成を示す平面図。
【図４７】中継電極の一変形例を示す斜視図。
【図４８】図４７の中継電極と冷陰極管との位置関係を示す説明図。
【図４９】中継電極の一変形例を示す斜視図。
【図５０】図４９の中継電極と冷陰極管との位置関係を示す説明図。
【図５１】ランプクリップを用いた場合の構成を示す説明図。
【図５２】ランプクリップの構成を示す正面図。
【図５３】ランプホルダの一変形例を示す説明図。
【図５４】ランプホルダの異なる変形例を示す説明図。
【図５５】中継電極の一変形例を示すとともに、冷陰極管との位置関係を示す説明図。
【図５６】第１実施形態〜第３実施形態に共通して採用可能な電力供給に係る回路構成を示す説明図。
【発明を実施するための形態】
【００３３】
＜第１実施形態＞
以下、本発明を具体化した実施形態について図面を参照して説明する。
図１は本実施形態のテレビ受信装置ＴＶの全体構成を示す分解斜視図であり、図２はテレビ受信装置ＴＶが備える液晶表示装置（表示装置）１０の全体構成を示す分解斜視図、図３は図２のＡ−Ａ断面の構成を示す断面図である。また、図４は液晶表示装置１０が備えるバックライト装置１２の要部構成を示す正面図、図５は同バックライト装置１２の要部構成のうち冷陰極管を省略して示す正面図、図６は同バックライト装置１２の要部構成を示す背面図である。
【００３４】
本実施形態に係るテレビ受信装置ＴＶは、図１に示すように、液晶表示装置（表示装置）１０と、当該液晶表示装置１０を挟むようにして収容する表裏両キャビネットＣａ，Ｃｂと、後述する電源基板１７０（本発明の電源）とは別の電源Ｐと、チューナーＴと、スタンドＳとを備えて構成される。液晶表示装置１０は、全体として横長の方形を成し、図２に示すように、平面視矩形をなす表示パネルである液晶パネル１１と、外部光源であるバックライト装置（照明装置）１２とを備え、これらがベゼル１３などにより一体的に保持されるようになっている。
【００３５】
液晶パネル１１は、透光性のＴＦＴ基板と透光性のＣＦ基板との隙間に、電圧印加に伴って光学特性が変化する液晶（液晶層）を封入した周知構造のものである。ＴＦＴ基板の内面には、縦方向に延びるソース配線と、横方向に延びるゲート配線とが多数本配設され、格子状をなしている。一方、ＣＦ基板には、赤（Ｒ），緑（Ｇ），青（Ｂ）の三原色の着色部をマトリックス状に配置したカラーフィルタが設けられている。また、両基板の液晶側とは反対側の面には、それぞれ偏光板が配されている。
【００３６】
バックライト装置１２は、液晶パネル１１の背面直下となる位置に光源が配置されてなる、いわゆる直下型のバックライトであり、表側（光出射側）に開口したシャーシ１４と、シャーシ１４内に敷設される反射シート１４ａと、シャーシ１４の開口部分に取り付けられる光学部材１５と、光学部材１５を固定するためのフレーム１６と、シャーシ１４内に収容される複数本の冷陰極管１７と、冷陰極管１７の端部を遮光するとともに自身が光反射性を備えてなるランプホルダ１９と、を有して構成されている。
【００３７】
光学部材１５は、線状光源である各冷陰極管１７（放電管）から発せられる線状の光を面状に変換するとともに、その光を液晶パネル１１の有効表示領域に向けて方向付ける機能（指向性）等を有する。
【００３８】
シャーシ１４は、平面視矩形の金属製のもので、表側（光出射側）に開口する略箱型に形成されている。反射シート１４ａは、合成樹脂製の反射性に優れた白色部材であり、シャーシ１４の内面のほぼ全域を覆う形で敷設されている。この反射シート１４ａにより、各冷陰極管１７から発せられる光の殆どをシャーシ１４の開口側へと導くことができるものとされている。
【００３９】
また、シャーシ１４の表側（内面側）には、図４及び図５に示すように、冷陰極管１７の一端部を保持するとともに、その冷陰極管１７に駆動電力を供給するためのクリップ端子（接続端子）１５２を備えた第１光源保持部材１５０と、冷陰極管１７の他端部を保持するとともに、その冷陰極管１７に駆動電力を供給するためのクリップ端子（接続端子）２５２を備えた第２光源保持部材２５０とが配設されている。冷陰極管１７は、この第１光源保持部材１５０及び第２光源保持部材２５０に保持されることで、シャーシ１４の表側に並列配置されている。
【００４０】
一方、シャーシ１４の裏面側には、図６に示すように、冷陰極管１７に駆動電力を供給するためのインバータ回路を含む電源基板１７０（電源）が配設されており、これによって複数本の冷陰極管１７は並列駆動される。本実施形態は、このような電源基板１７０がシャーシ１４の背面に設けられ、電源からの電力が冷陰極管１７の両端部から供給される両側駆動方式を採用している。特に本実施形態では、冷陰極管１７の各々に、当該冷陰極管１７の一方端側と他方端側に対して、それぞれシャーシ１４の電位（グランド電位）に対して逆位相の高電位の駆動電力が供給されている。そして、並列配置された冷陰極管１７の各々における同一方向の片端側のみに、つまり第１光源保持部材１５０側のみに電源基板１７０と冷陰極管１７の各々との間に介在して、複数の冷陰極管１７の各々に供給される駆動電力の電流量を均一化するコンデンサ５６が接続されている。言い換えると、第２光源保持部材２５０においては、電源基板１７０からコンデンサを介さず冷陰極管１７に駆動電力が供給されるものとなっている。以下、冷陰極管１７への駆動電力の供給に係る構成と、その作用について説明する。
【００４１】
ここで、図７は第１光源保持部材１５０の構成を示す斜視図、図８は第２光源保持部材２５０の構成を示す奢侈図、図９は第１光源保持部材１５０側における冷陰極管１７に対する駆動電力の供給機構を示す説明図、図１０は第２光源保持部材２５０側における冷陰極管１７に対する駆動電力の供給機構を示す説明図、図１１は電源基板１７０から冷陰極管１７への電力供給に係る回路構成を示す説明図、図１２はクリップ端子１５２（２５２）の構成を示す斜視図である。また、図１３は冷陰極管１７の構成を示す斜視図、図１４は冷陰極管１７が備える口金１３６の構成を示す平面図、図１５はクリップ端子１５２（２５２）に冷陰極管１７を保持させた状態の構成を示す正面図、図１６はクリップ端子１５２（２５２）に冷陰極管１７を保持させた状態の構成を示す平面図、図１７は口金１３６の一変形例を示す斜視図である。さらに、図１８はシャーシ１４とクリップ端子１５２とを絶縁する機構の一例を示す説明図、図１９は同シャーシ１４とクリップ端子１５２とを絶縁する機構の一例を示す説明図である。
【００４２】
［冷陰極管１７］
まず、冷陰極管１７の構成について説明する。
冷陰極管１７は、図１３に示すように、全体として細長く円形断面の直線状のガラス管１３４と、ガラス管１３４の両端からガラス管１３４と同軸状に且つ直線状に突出する円形断面の細長い金属製（例えば、ニッケル系、或いはコバルト系の金属）のアウターリード１３５と、ガラス管１３４の両端部に取り付けられる口金１３６とから構成される。ガラス管１３４の内部には水銀が封入され、ガラス管１３４の両端部は、加熱して溶融させることで概ね半球状に形成されている。そして、アウターリード１３５は、この半球部を貫通している。
【００４３】
口金１３６は、図１４に示すように、所定の形状に打ち抜かれた金属製（例えば、ステンレス製）の板材に曲げ加工や叩き出し加工を施すことによって形成された単一部品である。口金１３６は、１つの本体１３７と１片の導電片１４０とを備えている。本体１３７は、全体としてガラス管１３４と同心の円筒形をなし、本体１３７の内径はガラス管１３４の外径よりも少し大きい寸法に設定されている。
【００４４】
本体１３７には、その一部をスリット状に切欠することによって三対の弾性保持片１３８Ａ，１３８Ｂが周方向において等角度のピッチで配置されるように形成されている。
対をなす弾性保持片１３８Ａ，１３８Ｂのうち一方の第１弾性保持片１３８Ａは、全体として後方へ（詳しくは、やや径方向内向きへ斜め方向に）片持ち状に延出した形態であって、その基端（前端）を支点として径方向に弾性撓みし得るようになっている。第１弾性保持片１３８Ａの延出端部（後端部）には、径方向外側へ斜めに曲げられた屈曲部１３９が形成され、この屈曲部１３９の曲げの外側の面（つまり、内側に臨む面）はガラス管１３４の外周面に当接する接点となっている。この３本の第１弾性保持片１３８Ａの接点を結ぶ仮想円は、本体１３７と同心の円形であり、この仮想円の径寸法は、第１弾性保持片１３８Ａが弾性撓みしていない自由状態のときにガラス管１３４の外径よりも小さい寸法となっている。
【００４５】
対をなす弾性保持片１３８Ａ，１３８Ｂのうち他方の第２弾性保持片１３８Ｂは、第１弾性保持片１３８Ａに対して周方向に隣り合うように配置され、全体として第１弾性保持片１３８Ａと逆に前方へ（詳しくは、やや径方向内向きへ斜め方向に）片持ち状に延出した形態となっていて、その基端（後端）を支点として径方向に弾性撓みし得るようになっている。第２弾性保持片１３８Ｂの延出端はガラス管１３４の外周面に当接する接点となっており、この３片の第２弾性保持片１３８Ｂの接点を結ぶ仮想円は、本体１３７と同心の円形であり、この仮想円の径寸法は、第２弾性保持片１３８Ｂが弾性撓みしていない自由状態のときにガラス管１３４の外径よりも小さい寸法となっている。
【００４６】
本体１３７には、その端部から前方へ片持ち状に延出してなる導電片１４０が設けられている。導電片１４０は、本体１３７の前端に連なる細長部１４１と、細長部１４１の前端（延出端）から更に前方へ突出する筒状部１４２とからなるものとされている。細長部１４１は、本体１３７に対して面一状であって本体１３７からその軸線と平行に延出する基端部１４１ａと、基端部１４１ａの延出端から本体１３７の軸線に向かって径方向内向きに延出する中間部１４１ｂと、中間部１４１ｂの延出端から本体１３７の軸線と平行に延出する先端部１４１ｃとからなり、先端部１４１ｃの延出端に筒状部１４２が連なっている。細長部１４１の幅寸法は細長部１４１の長さ寸法に対して充分に小さく、したがって、細長部１４１は、本体１３７の径方向への弾性変形、径方向と交差する方向（細長部１４１の長さ方向と交差する方向）への弾性変形、及び細長部１４１自身を軸とする弾性的な捻れ変形が可能となっている。筒状部１４２は、細長部１４１の延出端から横方向へ張り出した部分を円筒状に曲げ加工したものであり、軸線は概ね本体１３７と同軸状に配置されている。かかる筒状部１４２は、細長部１４１を弾性撓みさせつつ、口金１３６の軸回り方向及び径方向へ変位し得るようになっている。
【００４７】
［第１光源保持部材１５０］
次に、第１光源保持部材１５０の構成について説明する。
第１光源保持部材１５０は、冷陰極管１７の端部を保持して当該冷陰極管１７をシャーシ１４に取り付ける機能を担うもので、細長い支持板（支持部材）１５１と、この支持板１５１の表面側に並設された複数のクリップ端子１５２と、各クリップ端子１５２に供給される駆動電力の電流量を均一化する複数のバラストコンデンサ５６と、を備えて構成されている。
【００４８】
支持板１５１は、金属等の導電材料にて構成された基板からなり、シャーシ１４の一端部、ここでは並列配置された冷陰極管１７の各々における同一方向の片端側に配置され、シャーシ１４の端部に沿って取り付けられている。支持板１５１には、各クリップ端子１５２と対応して３つずつの取付孔１５１Ｈ（図１５参照）が貫通して形成されており、これらの取付孔１５１Ｈにクリップ端子１５２が取り付けられている。
【００４９】
クリップ端子１５２は、図１２に示すように、所定形状に打ち抜いた金属製（例えば、洋白合金）の板材に曲げ加工を施したものであって、ベース部１５３と、ベース部１５３の上下両縁部から正面側へ延出する上下対称な一対の弾性押圧片１５４と、ベース部１５３の一方の側縁部から正面側へ延出するストッパ１５５とを備えて構成される。
一対の弾性押圧片１５４は、ストッパ１５５とは反対側の側縁部に配置され、相手側の弾性押圧片１５４側へ膨らむように湾曲した形状をなしている。弾性押圧片１５４は、その間隔を拡開するように弾性撓みすることが可能であり、弾性押圧片１５４が弾性撓みしていない状態での一対の弾性押圧片１５４の最小間隔は、冷陰極管１７のガラス管１３４の外径よりも小さい寸法となっている。
【００５０】
ストッパ１５５は、ベース部１５３から冷陰極管１７の軸線と直角に立ち上がっており、ストッパ１５５には略円弧状に凹んだ形態の凹部１５６が形成されている。凹部１５６の上下両側におけるベース部１５３からの立ち上がり寸法は、クリップ端子１５２に必要な金属材料が削減されるよう、小さく抑えられている。
【００５１】
さらに、ベース部１５３には、３片の脚部１５７が一体形成されている。３片のうち２片の脚部１５７は、弾性押圧片１５４とストッパ１５５との間であって、ベース部１５３の上下両縁部から弾性押圧片１５４及びストッパ１５５とは反対側（裏面側）へ突出しており、残りの１片の脚部１５７は、ベース部１５３におけるストッパ１５５とは反対側の側縁における両弾性押圧片１５４の中間位置から弾性押圧片１５４及びストッパ１５５とは反対側（裏面側）へ突出している。
【００５２】
かかるクリップ端子１５２は、合成樹脂製のハウジング等の部材には収容されておらず、剥き出しの状態のままで、脚部１５７を支持板１５１の取付孔１５１Ｈに貫通させて半田付け等により支持板１５１に対して固着されている。
【００５３】
バラストコンデンサ５６は、バランス素子であって、全てのクリップ端子１５２に対して一対一で対応するように設けられている。各バラストコンデンサ５６は、対応するクリップ端子１５２に対して直列に接続されるように（図９参照）、支持板１５１上に配設されている。
【００５４】
これら複数のバラストコンデンサ５６は電源基板（電源）１７０に対して並列接続されている。より具体的には、例えば図９及び図１１に示すように、バラストコンデンサ５６は、支持板１５１の裏面側に配された共通配線１６１に接続されて、これにより、支持板１５１の端部に設けられた電源接続用コネクタ１５８（電源接続部）に繋がっており、この電源接続用コネクタ１５８に対して、電源基板１７０からの電力供給線１６０が接続されている。
【００５５】
［第２光源保持部材２５０］
次に、第２光源保持部材２５０の構成について説明する。
第２光源保持部材２５０は、冷陰極管１７の端部を保持して当該冷陰極管１７をシャーシ１４に取り付ける機能を担うもので、細長い支持板（支持部材）２５１と、この支持板２５１の表面側に並設された複数のクリップ端子２５２と、を備えて構成されている。なお、第１光源保持部材１５０とは異なり、バラストコンデンサを備えていない。
【００５６】
支持板２５１は、金属等の導電材料にて構成された基板からなり、シャーシ１４の一端部、ここでは並列配置された冷陰極管１７の各々における同一方向の他端側（第１光源保持部材１５０が配された側とは反対側の端部）に配置され、シャーシ１４の端部に沿って取り付けられている。支持板２５１には、各クリップ端子２５２と対応して３つずつの取付孔１５１Ｈ（図１５参照）が貫通して形成されており、これらの取付孔１５１Ｈにクリップ端子２５２が取り付けられている。
【００５７】
クリップ端子２５２は、図１２に示すように、所定形状に打ち抜いた金属製（例えば、洋白合金）の板材に曲げ加工を施したものであって、ベース部１５３と、ベース部１５３の上下両縁部から正面側へ延出する上下対称な一対の弾性押圧片１５４と、ベース部１５３の一方の側縁部から正面側へ延出するストッパ１５５とを備えて構成される。
一対の弾性押圧片１５４は、ストッパ１５５とは反対側の側縁部に配置され、相手側の弾性押圧片１５４側へ膨らむように湾曲した形状をなしている。弾性押圧片１５４は、その間隔を拡開するように弾性撓みすることが可能であり、弾性押圧片１５４が弾性撓みしていない状態での一対の弾性押圧片１５４の最小間隔は、冷陰極管１７のガラス管１３４の外径よりも小さい寸法となっている。
【００５８】
ストッパ１５５は、ベース部１５３から冷陰極管１７の軸線と直角に立ち上がっており、ストッパ１５５には略円弧状に凹んだ形態の凹部１５６が形成されている。凹部１５６の上下両側におけるベース部１５３からの立ち上がり寸法は、クリップ端子１５２に必要な金属材料が削減されるよう、小さく抑えられている。
【００５９】
さらに、ベース部１５３には、３片の脚部１５７が一体形成されている。３片のうち２片の脚部１５７は、弾性押圧片１５４とストッパ１５５との間であって、ベース部１５３の上下両縁部から弾性押圧片１５４及びストッパ１５５とは反対側（裏面側）へ突出しており、残りの１片の脚部１５７は、ベース部１５３におけるストッパ１５５とは反対側の側縁における両弾性押圧片１５４の中間位置から弾性押圧片１５４及びストッパ１５５とは反対側（裏面側）へ突出している。
【００６０】
かかるクリップ端子２５２は、合成樹脂製のハウジング等の部材には収容されておらず、剥き出しの状態のままで、脚部１５７を支持板２５１の取付孔１５１Ｈに貫通させて半田付け等により支持板２５１に対して固着されている。
【００６１】
支持板２５１において、各冷陰極管１７の配置に対応して並列配置された各クリップ端子２５２は電源基板（電源）１７０に対して並列接続されている。より具体的には、例えば図１０及び図１１に示すように、各クリップ端子２５２は、支持板２５１の裏面側に配された共通配線２６１に接続されて、これにより、支持板２５１の端部に設けられた電源接続用コネクタ２５８（電源接続部）に繋がっており、この電源接続用コネクタ２５８に対して、電源基板１７０からの電力供給線２６０が接続されている。
【００６２】
［電源基板１７０］
電源基板１７０は、図６に示すように、背面（シャーシ１４と反対側の面）に回路が形成された回路基板１７２と、回路基板１７２の背面に実装された電子部品１７１と、回路基板１７２のシャーシ１４側の面に取り付けられた基板コネクタ１７３とを備えている。電子部品１７１としてはトランス等を含み、これにより回路基板１７２は高周波電圧を生成するインバータ回路基板として構成されている。
【００６３】
基板コネクタ１７３は、電力供給線１６０，２６０を介して、シャーシ１４内の支持板１５１，２５１上に設けられた上記電源接続用コネクタ１５８，２５８に接続されている。特に、本実施形態では、第１光源保持部材１５０と第２光源保持部材２５０とにおいて、それぞれ逆位相の駆動電力、すなわちシャーシ１４の電位に対して逆位相の高電位となるように駆動電力が供給されている。具体的には、図５６に示すように、１つのトランス７０から逆位相の駆動電力をそれぞれ出力するものとしており、当該トランス７０は、１つの一次コイル７１に対して、相対的に巻数の多い第１の二次コイル７５と相対的に巻数の少ない第２の二次コイル７６が配された構成を有している。これにより、冷陰極管１７のコンデンサ５６が接続された片端側（つまり第１光源保持部材１５０側）に、冷陰極管１７のコンデンサ５６が接続されていない他端側（つまり第２光源保持部材２５０）よりも高電圧の駆動電力が供給されている。なお、当該電源基板１７０は、例えばネジ止め等によりシャーシ１４に対して組み付け固定されている。
【００６４】
［クリップ端子１５２（２５２）に対する冷陰極管１７の取付］
冷陰極管１７をクリップ端子１５２（２５２）に取り付ける際には、冷陰極管１７を水平に向けた状態でシャーシ１４の正面に接近させ、ガラス管１３４の端部と口金１３６を対向する一対の弾性押圧片１５４の間に正面側から嵌め込む（図１５及び図１６参照）。このとき、一対の弾性押圧片１５４が、口金１３６の本体１３７によって拡開するように弾性撓みさせられ、本体１３７が一対の弾性押圧片１５４の最小間隔部分を通過した後は、両弾性押圧片１５４が、その弾性復元力によって本体１３７をベース部１５３側に引き込み、本体１３７をベース部１５３に当接させ、これにより、冷陰極管１７の取付けが完了する。
【００６５】
取り付けられた冷陰極管１７は、その両端部においてクリップ端子１５２（２５２）によって支持される。一対の弾性押圧片１５４が口金１３６の本体１３７の外周面に弾性的に接触するので、アウターリード１３５が口金１３６を介してクリップ端子１５２（２５２）に電気的導通可能に接続される。さらに、一対の弾性押圧片１５４の弾性復元力により、ガラス管１３４がストッパ１５５の凹部１５６に押し付けられた状態に保持されており、冷陰極管１７の軸方向に見たときには、本体１３７の一部がストッパ１５５と重なるように位置する。つまり、本体１３７における導電片１４０とは反対側の端縁の一部がストッパ１５５に対して軸線方向に接近して対向する状態となる。
【００６６】
以上のような本実施形態のテレビ受信装置ＴＶによると、液晶表示装置１０が本発明に係る構成のバックライト装置１２を備えるため、以下のような作用効果を奏する。
すなわち、クリップ端子１５２と電源基板１７０との間にバラストコンデンサ５６を介在させ、これにより、クリップ端子１５２のそれぞれに供給される駆動電力の電流量を均一化するものとしているため、各冷陰極管１７に供給する電流を均一（一定）化することが可能となり、共通の電源１７０により複数の冷陰極管１７を並列駆動することが可能となる。さらに、バラストコンデンサ５６が、冷陰極管１７の片側のみ、つまり第１光源保持部材１５０のみに配置したものであるため、冷陰極管１７の両側にコンデンサを配置した構成に比してコスト削減が図られている。
【００６７】
また、電源基板１７０は、１つのトランス７０を備えるとともに、当該トランス７０から第１光源保持部材１５０及び第２光源保持部材２５０に逆位相の駆動電力をそれぞれ出力するものとしているため、別個のトランスにて逆位相の駆動電力を供給する場合に比してコスト削減が図られている。特に、本実施形態では、冷陰極管１７の両端から駆動電力が供給される場合において、冷陰極管１７に対する駆動電力の供給態様として、バラストコンデンサ５６が接続された片端側に、コンデンサが接続されていない他端側よりも高電圧の駆動電力を供給するものとしているため、冷陰極管１７の長手方向における仮想グランドの位置が中心にシフトされており、これにより輝度の左右対称性が高められている。
【００６８】
また、本実施形態では、冷陰極管１７の端部を支持する支持板１５１（２５１）上に接続端子機能を備えたクリップ端子１５２（２５２）を配置しているため、冷陰極管１７の位置決めと冷陰極管１７への通電を簡便な構成で同時に行うことが可能となっている。特に、支持板１５１（２５１）、すなわち光源保持部材１５０（２５０）は、並列配置された冷陰極管１７の両側をそれぞれ支持するように、当該冷陰極管１７の両側に沿って配置されており、バラストコンデンサ５６が配置された側と配置されていない側の双方において、光源保持部材１５０（２５０）による冷陰極管１７の位置決めと冷陰極管１７への通電を同時に行うことが可能となっている。また、バラストコンデンサ５６も、支持板１５１上に配置しているため、冷陰極管１７の位置決めと放電管への通電に係る構成が一層簡便なものとなっており、更なるコスト削減が実現されている。
【００６９】
また、冷陰極管１７は、その端部に、クリップ端子１５２（２５２）と電気的に接続可能な口金１３６を備える構成としている。これにより、クリップ端子１５２（２５２）に対する冷陰極管１７の組み付けと同時に、当該口金１３６とクリップ端子１５２（２５２）との電気的接続を実現することが可能となるなど、簡便な構成で、製造工程における大幅なコスト削減に寄与することができるものとなっている。特に、冷陰極管１７は、線状のガラス管１３４と、ガラス管１３４の両端からガラス管１３４と同軸状に且つ直線状に突出するアウターリード１３５と、当該アウターリード１３５と電気的に接続されるとともにガラス管１３４の両端部に取り付けられた口金１３６と、を備え、口金１３６が、クリップ端子１５２（２５２）と電気的に接続する構成を採用することで、取付作業の簡便化と確実な電気的接続を実現している。
【００７０】
なお、上記実施形態において、口金の構成としては、例えば図１７のような構成を採用することもできる。つまり、図１３及び図１４に示した口金１３６の筒状部１４２をＵ字状の接続部１４２ａとすることができる。この場合、口金１３６に対してガラス管１３４を嵌め込んだ後、Ｕ字状の接続部１４２ａをアウターリード１３５に沿って曲げ加工することで、これらアウターリード１３５と接続部１４２ａとの電気的接続が可能となる。このようなＵ字状の接続部１４２ａを曲げ加工する態様によれば、アウターリード１３５に対する電気的接続性が一層良好なものとなる。
【００７１】
また、シャーシ１４と支持板１５１との絶縁を図るために、例えば図１８に示すようにシャーシ１４と支持板１５１との間に絶縁基板（絶縁部材）６１を介在させることができる。また、図１９に示すように、シャーシ１４のうち支持板１５１と重畳する位置に開口部６２を形成するものとしても良い。或いは、シャーシ１４を樹脂材料から構成することもできる。勿論、シャーシ１４と支持板２５１との絶縁を図るために、同様に絶縁部材６１及び開口部６２を支持板２５１に対応して形成するものとしても良い。
【００７２】
＜第２実施形態＞
続いて、本発明の第２実施形態について説明する。
本第２実施形態は、上記第１実施形態の第１光源保持部材１５０及び第２光源保持部材２５０に代えて第１光源保持部材（第１中継部材）３５０及び第２光源保持部材（第２中継部材）４５０を採用した点が上記第１実施形態と相違し、その他の構成部材については同一構成のため、上記第１実施形態と同一符号を付して説明を省略する場合がある。
【００７３】
まず、図２０は第２実施形態のテレビ受信装置の液晶表示装置が備えるバックライト装置の要部構成を示す正面図、図２１は同バックライト装置の要部構成を示す正面図、図２２は同バックライト装置の要部構成を示す背面図である。本実施形態においても、冷陰極管１７がシャーシ１４の表面側において並列配置され、複数の冷陰極管１７を並列駆動するための駆動電力を供給する電源基板１７０がシャーシ１４の裏面側に配置されている。冷陰極管１７の各々には、当該冷陰極管１７の一方端側と他方端側に対してそれぞれ逆位相の駆動電力が供給されている。
【００７４】
具体的には、シャーシ１４の表面側には、図２０及び図２１に示すように、電源基板１７０から供給される駆動電力を、各冷陰極管１７に中継（導通）するための中継部材３５０，４５０が配されている。中継部材３５０，４５０は、絶縁基板からなる台座３５１，４５１と、台座３５１，４５１上に配され、各冷陰極管１７に一対一で対応して配された中継本体部３５２，４５２とを備えて構成されている。本実施形態では、中継部材３５０はシャーシ１４の一方端部であって、冷陰極管１７の一方端部と重なる位置に配され、中継部材４５０はシャーシ１４の他方端部であって、冷陰極管１７の他方端部と重なる位置に配されている。以下、冷陰極管１７への駆動電力の供給に係る構成と、その作用について説明する。
【００７５】
図２３は中継本体部３５２を含む第１中継部材３５０の全体構成を示す斜視図、図２４は中継本体部４５２を含む第２中継部材４５０の全体構成を示す斜視図、図２５は第１中継部材３５０側における電力供給に係る回路構成を示す説明図、図２６は第２中継部材４５０側における電力供給に係る回路構成を示す説明図である。また、図２７は第２実施形態で採用した冷陰極管１７の構成を示す斜視図、図２８は冷陰極管１７の構成を示す断面図、図２９は第１中継部材３５０側における電力供給に係る構成を模式的に示す説明図、図３０は中継本体部３５２（４５２）の構成を示す斜視図、図３１は冷陰極管１７を中継本体部３５２（４５２）に取り付ける（挿入する）態様を示す説明図、図３２は中継本体部３５２（４５２）に冷陰極管１７を取り付けた（挿入した）状態の構成を示す正面図、図３３は中継本体部３５２（４５２）の一変形例を示す平面図、図３４は中継部材の一変形例を示す斜視図である。
【００７６】
［冷陰極管１７］
まず、冷陰極管１７の構成について説明する。
冷陰極管１７は、細長い管状をなしており、その長さ方向（軸方向）をシャーシ１４の長辺方向と一致させた状態で、かつ多数本が互いに平行に並んだ状態でシャーシ１４内に収容されている（図２０参照）。この冷陰極管１７は、図２７及び図２８に示すように、両端が封止された細長いガラス管４０と、ガラス管４０の両端部の内側に封入された電極４１と、電極４１からガラス管４０の外部に突出するアウターリード４２とを備える。
【００７７】
さらに、ガラス管４０は、内部に希ガスと水銀が封入されるとともに、その内壁面に蛍光体４３が塗布されている。この冷陰極管１７のうち、両端部の電極４１が備わる部位が非発光部位とされ、それ以外の中央の部位（蛍光体４３が塗布されている部位）が発光部位とされている。冷陰極管１７は、その端部においてアウターリード４２が中継部材３５０（４５０）の中継本体部３５２（４５２）に取り付けられることによりシャーシ１４に固定され、また当該冷陰極管１７の端部が取り付けられた中継部材３５０（４５０）はランプホルダ１９により覆われている。
【００７８】
アウターリード４２は、外部との電気的導通をとるための端子部であり、ガラス管４０の両端からガラス管４０と同軸状に且つ直線状に突出する円形断面の細長い金属製（例えば、ニッケル系、或いはコバルト系の金属）のものとされている。そして、当該アウターリード４２の外径Ｄｂは、ここでは０．５ｍｍ〜１ｍｍ程度に形成され、後述する中継本体部１５２の開口部１５８の開口幅Ｗａ（図３０参照）よりも大きいものとされている。
【００７９】
［第１中継部材３５０］
次に、第１中継部材３５０の構成について説明する。
第１中継部材３５０は、冷陰極管１７をシャーシ１４に固定する部材として機能するとともに、電源基板１７０から冷陰極管１７への電力供給を中継する部材として機能する。本実施形態の第１中継部材３５０は、シャーシ１４の一方側縁部に沿って取り付けられ、図２３及び図２５に示すように、細長い絶縁基板からなる台座３５１と、この台座３５１上に配される導電膜（導電部）３６１と、この導電部３６１上に配される誘電材料層からなる誘電膜（誘電部）３６２と、この誘電膜３６２内に埋設されて自身の表面が当該中継部材３５０の表面から露出してなる中継本体部３５２と、を有して構成されている。
【００８０】
台座３５１は、ここではガラスエポキシ樹脂等の絶縁材料からなる板状を有してなり、シャーシ１４に対して取り付け固定されている。なお、台座３５１として用いる材料は、絶縁材料であれば特にガラスエポキシ樹脂に限定されず、例えば紙フェノール等を採用することが可能である。
【００８１】
導電膜３６１は、台座３５１上にパターンニングされた銅箔等の金属導電膜であり、電源基板１７０に対して１本のハーネス（電力供給経路）３６０を介して接続されている。また、当該導電膜３６１は、複数の中継本体部３５２に対して共通の配線として形成され、台座３５１上に１本の導電膜３６１が形成されて、当該導電膜３６１から誘電膜３６２を介して中継本体部３５２に駆動電力が供給されるものとなっている。
【００８２】
誘電膜３６２は、金属酸化物や金属窒化物、或いは樹脂等の誘電材料から構成され、導電性の導電膜３６１と中継本体部３５２との間に介在されてキャパシタ（バランス素子）３５６を構成している。このキャパシタ３５６からなるバランス素子により、中継本体部３５２ひいては各冷陰極管１７に供給される駆動電力の電流バランスが調整され、電流量が均一化されている。
【００８３】
図２５に示すように、各キャパシタ３５６は電源基板１７０に対して並列接続されており、ここでは導電膜（共通配線）３６１に各キャパシタ３５６が並列して配されている。そして、導電膜３６１から引き出されるハーネス３６０によって電源基板１７０との電気的接続が一括して行われている。つまりキャパシタ３５６と電源基板１７０とは、冷陰極管１７の数よりも少ない配線、具体的には１本のハーネス３６０により接続されているのである。ハーネス３６０は、例えば図２９に示すように、シャーシ１４の内側（内面側）に配された台座３５１の端部から、シャーシ１４の外側（外面側）に配された電源基板１７０まで引き廻されている。
【００８４】
中継本体部３５２は、複数の冷陰極管１７に対して一対一となるように、各冷陰極管１７のそれぞれに別個に設けられており、各冷陰極管１７のアウターリード４２を把持ないし保持して当該冷陰極管１７を位置決め固定する（シャーシ１４に取り付ける）機能と、各冷陰極管１７に対して駆動電力を中継して供給する機能とを有している。本実施形態では、中継本体部３５２は導電ゴムから構成されて導電性を有し且つ弾性変形可能なものとして構成されている。具体的には、図３０に示すように、中継本体部３５２は立方体ないし直方体の導電性ゴムからなるキューブ状の構成をなし、その表面（上面）に冷陰極管１７のアウターリード４２を挿入可能なスリット状の開口部３５８を有して構成されている。当該キューブ状の中継本体部３５２は、図２３及び図２９に示すように、開口部３５８が中継部材３５０の表面から露出する形で誘電膜３６２内に埋設され、その露出した開口部（スリット）３５８から冷陰極管１７のアウターリード４２を挿入することで、冷陰極管１７の位置決め固定が行われる。
【００８５】
特に、本実施形態では、中継本体部３５２が導電ゴムからなり、その開口部３５８の口幅Ｗａが例えば０．１ｍｍ〜０．５ｍｍ程度とされ、上述の通り、冷陰極管１７のアウターリード４２の外径Ｄｂよりも小さいものとされている。したがって、図３１に示すように、アウターリード４２の開口部３５８への挿入時には開口部３５８が弾性変形を伴って拡口することとなり、図３２に示すように、アウターリード４２が中継本体部３５２の開口部３５８内に挿入された状態（挿入が完了した状態）では、当該アウターリード４２は開口部３５８の内面に弾性接触する形となる。そして、中継本体部３５２の弾性復帰力により、アウターリード４２は締付固定され、当該開口部３５８から抜け出る不具合が生じないものとなっている。ここで、導電ゴムからなる中継本体部３５２としては、例えばシリコンゴム等のゴム部材にカーボンを練り込んでなるものの他、ゴム部材に銀、銅、金などの金属粒子を練り込んでなるものを採用することができる。なお、アウターリード４２の挿入を誘導して当該挿入を容易化させるべく、図３３に示すように、開口部３５８の開口部位を拡開させてテーパ状とした挿入誘導部３５８ａを設けるものとしても良い。
【００８６】
［第２中継部材４５０］
次に、第２中継部材４５０の構成について説明する。
第２中継部材４５０は、冷陰極管１７をシャーシ１４に固定する部材として機能するとともに、電源基板１７０から冷陰極管１７への電力供給を中継する部材として機能する。本実施形態の第２中継部材４５０は、シャーシ１４の他方側縁部（第１中継部材３５０とは反対側の側縁部）に沿って取り付けられ、図２４及び図２６に示すように、細長い絶縁基板からなる台座４５１と、この台座４５１上に配される導電膜（導電部）４６１と、この導電部４６１上に配される絶縁膜（絶縁部）４６２と、この絶縁膜４６２内に埋設された形で導電部４６１と直接接続し、自身の表面が当該中継部材４５０の表面から露出してなる中継本体部４５２と、を有して構成されている。
【００８７】
台座４５１は、ここではガラスエポキシ樹脂等の絶縁材料からなる板状を有してなり、シャーシ１４に対して取り付け固定されている。なお、台座４５１として用いる材料は、絶縁材料であれば特にガラスエポキシ樹脂に限定されず、例えば紙フェノール等を採用することが可能である。
【００８８】
導電膜４６１は、台座４５１上にパターンニングされた銅箔等の金属導電膜であり、電源基板１７０に対して１本のハーネス（電力供給経路）４６０を介して接続されている。また、当該導電膜４６１は、複数の中継本体部４５２に対して共通の配線として形成され、台座４５１上に１本の導電膜４６１が形成されて、当該導電膜４６１から中継本体部４５２に駆動電力が供給されるものとなっている。すなわち、第１中継部材３５０と異なり、導電部４６１が誘電膜を介さず（キャパシタを介さず）直接中継本体部４５２に接続されて電力供給を行っている。
【００８９】
なお、各中継本体部４５２の間には絶縁膜４６２が形成されており、当該絶縁膜４６２は、金属酸化物や金属窒化物、或いは樹脂等の誘電材料から構成され、各中継本体部４５２を絶縁する機能を有している。
【００９０】
図２６に示すように、各中継本体部４５２は電源基板１７０に対して並列接続されており、ここでは導電膜（共通配線）４６１に各中継本体部４５２が並列して配されている。そして、導電膜４６１から引き出されるハーネス４６０によって電源基板１７０との電気的接続が一括して行われている。
【００９１】
中継本体部４５２は、複数の冷陰極管１７に対して一対一となるように、各冷陰極管１７のそれぞれに別個に設けられており、各冷陰極管１７のアウターリード４２を把持ないし保持して当該冷陰極管１７を位置決め固定する（シャーシ１４に取り付ける）機能と、各冷陰極管１７に対して駆動電力を中継して供給する機能とを有している。本実施形態では、中継本体部４５２は導電ゴムから構成されて導電性を有し且つ弾性変形可能なものとして構成されている。具体的には、図３０に示すように、中継本体部４５２は立方体ないし直方体の導電性ゴムからなるキューブ状の構成をなし、その表面（上面）に冷陰極管１７のアウターリード４２を挿入可能なスリット状の開口部４５８を有して構成されている。当該キューブ状の中継本体部４５２は、図２４に示すように、開口部４５８が中継部材４５０の表面から露出する形で絶縁膜４６２内に埋設され、その露出した開口部（スリット）４５８から冷陰極管１７のアウターリード４２を挿入することで、冷陰極管１７の位置決め固定が行われる。
【００９２】
特に、本実施形態では、中継本体部４５２が導電ゴムからなり、その開口部４５８の口幅Ｗａが例えば０．１ｍｍ〜０．５ｍｍ程度とされ、上述の通り、冷陰極管１７のアウターリード４２の外径Ｄｂよりも小さいものとされている。したがって、図３１に示すように、アウターリード４２の開口部４５８への挿入時には開口部４５８が弾性変形を伴って拡口することとなり、図３２に示すように、アウターリード４２が中継本体部４５２の開口部４５８内に挿入された状態（挿入が完了した状態）では、当該アウターリード４２は開口部４５８の内面に弾性接触する形となる。そして、中継本体部４５２の弾性復帰力により、アウターリード４２は締付固定され、当該開口部４５８から抜け出る不具合が生じないものとなっている。ここで、導電ゴムからなる中継本体部４５２としては、例えばシリコンゴム等のゴム部材にカーボンを練り込んでなるものの他、ゴム部材に銀、銅、金などの金属粒子を練り込んでなるものを採用することができる。なお、アウターリード４２の挿入を誘導して当該挿入を容易化させるべく、図３３に示すように、開口部４５８の開口部位を拡開させてテーパ状とした挿入誘導部４５８ａを設けるものとしても良い。
【００９３】
［電源基板１７０］
電源基板１７０は、第１実施形態と同様の構成を有し、第１中継部材３５０と第２中継部材４５０とにおいて、それぞれ逆位相の駆動電力、すなわちシャーシ１４の電位に対して逆位相の高電位となるように駆動電力が供給されている。具体的には、図５６に示すように、１つのトランス７０から逆位相の駆動電力をそれぞれ出力するものとしており、当該トランス７０は、１つの一次コイル７１に対して、相対的に巻数の多い第１の二次コイル７５と相対的に巻数の少ない第２の二次コイル７６が配された構成を有している。これにより、冷陰極管１７のコンデンサ３５６が接続された片端側（つまり第１中継部材３５０側）に、冷陰極管１７のコンデンサが接続されていない他端側（つまり第２中継部材４５０）よりも高電圧の駆動電力が供給されている。
【００９４】
以上のような第２実施形態のテレビ受信装置ＴＶによると、液晶表示装置１０が本発明に係る構成のバックライト装置（照明装置）１２を備えるため、以下のような作用効果を奏する。
【００９５】
まず、中継本体部３５２と電源基板１７０との間にキャパシタ３５６を介在させ、これにより、中継本体部３５２のそれぞれに供給される駆動電力の電流量を均一化するものとしているため、各冷陰極管１７に供給する電流を均一（一定）化することが可能となり、共通の電源１７０により複数の冷陰極管１７を並列駆動することが可能となる。さらに、キャパシタ３５６が、冷陰極管１７の片側のみ、つまり第１中継部材３５０のみに配置したものであるため、冷陰極管１７の両側にキャパシタを配置した構成に比してコスト削減が図られている。
【００９６】
また、電源基板１７０は、１つのトランス７０を備えるとともに、当該トランス７０から第１中継部材３５０及び第２中継部材４５０に逆位相の駆動電力をそれぞれ出力するものとしているため、別個のトランスにて逆位相の駆動電力を供給する場合に比してコスト削減が図られている。特に、本実施形態では、冷陰極管１７の両端から駆動電力が供給される場合において、冷陰極管１７に対する駆動電力の供給態様として、キャパシタ３５６が接続された片端側に、キャパシタが接続されていない他端側よりも高電圧の駆動電力を供給するものとしているため、冷陰極管１７の長手方向における仮想グランドの位置が中心にシフトされており、これにより輝度の左右対称性が高められている。
【００９７】
また、本実施形態では、冷陰極管１７に対して口金等の外部電極を取り付けることなく、アウターリード４２を中継本体部３５２（４５２）の開口部３５８（４５８）に挿入することのみで、冷陰極管１７に対して簡便に電気導通、つまり電力供給の中継を図ることが可能とされている。このように外部電極等を設けないため部品点数が削減されて、コスト削減が実現されている。
【００９８】
また、中継本体部３５２（４５２）を導電ゴムで形成し、当該導電ゴムの弾性変形を利用して、アウターリード４２を開口部３５８（４５８）へ挿入した状態で当該アウターリード４２と開口部３５８（４５８）の内面との確実な接触つまり電気的導通を確保している。したがって、そのような弾性接触により、アウターリード４２と開口部３５８（４５８）の内面との間に僅かな位置ズレ（相対移動）が生じた場合にも両者の接触を確実に確保することが可能となっており、また、中継本体部３５２（４５２）（例えば開口部３５８（４５８））及び冷陰極管１７（アウターリード４２）において製造上の寸法誤差等が生じた場合にも、当該弾性が誤差を吸収しアウターリード４２と開口部３５８（４５８）の内面との接触を確実にとることができるものとされている。その結果、中継部材３５０（４５０）は導電性について高い信頼性を具備したものとなり、導電不良に基づく発光不良等が生じ難いバックライト装置１２となっている。さらに、中継本体部３５２（４５２）がゴム部材であることから、アウターリード４２は開口部３５８（４５８）の内面に弾性接触しており、その結果、当該アウターリード４２に過剰の応力が掛かり難く、それに基づくアウターリード４２の破損が生じ難いものとなり、発光不良等の不具合も生じ難いものとなっている。
【００９９】
ところで、中継本体部３５２（４５２）は、その開口部３５８（４５８）がアウターリード４２を挿入しない状態で当該アウターリード４２の外径Ｄｂよりも小さい口幅Ｗａを有して構成されている。したがって、開口部３５８（４５８）へのアウターリード４２の挿入により当該開口部３５８（４５８）は弾性変形により拡口し、その弾性復帰力により、開口部３５８（４５２）の内面はアウターリード４２に対して確実に弾性接触することとなる。その結果、上述したような確実な電気的導通を確保することが可能とされている。
【０１００】
なお、図３４は第１中継部材３５０の構成を示す斜視図である。この第１中継部材５５０は、バランス素子としてチップコンデンサ５５６を備えており、このようなチップコンデンサ５５６が全ての中継本体部５５２に一対一で設けられており、且つガラスエポキシ樹脂や紙フェノール等の絶縁基板からなる台座５５１上に中継本体部５５２とともに配設されている。中継本体部５５２は、上記同様、開口部５５８を有し、導電ゴムからなるキューブ状に構成されている。また、各チップコンデンサ５５６は電源基板（電源）１７０に対して並列接続されており、導電膜（共通配線）５６１に各チップコンデンサ５５６が並列して配設されている。そして、導電膜５６１から引き出されるハーネス５６０によって電源基板（電源）１７０との電気的接続が一括して行われている。
【０１０１】
＜第３実施形態＞
続いて、本発明の第３実施形態について説明する。
本第３実施形態は、上記第１実施形態の第１光源保持部材１５０及び第２光源保持部材２５０に代えて第１光源保持部材（第１電力中継基板）６５０及び第２光源保持部材（第２電力中継基板）７５０を採用した点が上記第１実施形態と相違し、その他の構成部材については同一構成のため、上記第１実施形態と同一符号を付して説明を省略する場合がある。
【０１０２】
まず、図３５は第３実施形態のテレビ受信装置の液晶表示装置が備えるバックライト装置の要部構成を示す正面図、図３６は同バックライト装置の要部構成を示す正面図、図３７は同バックライト装置の要部構成を示す背面図である。本実施形態においても、冷陰極管１７がシャーシ１４の表面側において並列配置され、複数の冷陰極管１７を並列駆動するための駆動電力を供給する電源基板１７０がシャーシ１４の裏面側に配置されている。冷陰極管１７の各々には、当該冷陰極管１７の一方端側と他方端側に対してそれぞれ逆位相の駆動電力が供給されている。
【０１０３】
具体的には、シャーシ１４の表面側には、図３５及び図３６に示すように、電源基板１７０から供給される駆動電力を、各冷陰極管１７に中継（導通）するための電力中継基板６５０，７５０が配されている。電力中継基板６５０，７５０は、絶縁基板からなる台座６５１，７５１と、台座６５１，７５１上に配され、各冷陰極管１７に一対一で対応して配されたチップ状の中継電極６５２，７５２とを備えて構成されている。本実施形態では、第１電力中継基板６５０はシャーシ１４の一方端部であって、冷陰極管１７の一方端部と重なる位置に配され、第２電力中継基板７５０はシャーシ１４の他方端部であって、冷陰極管１７の他方端部と重なる位置に配されている。以下、冷陰極管１７への駆動電力の供給に係る構成と、その作用について説明する。
【０１０４】
図３８は中継電極６５２を含む第１電力中継基板６５０の全体構成を示す斜視図、図３９は第１電力中継基板６５０における電力供給に係る回路構成を示す説明図、図４０は中継電極７５２を含む第２電力中継基板７５０の全体構成を示す斜視図、図４１は第２電力中継基板７５０における電力供給に係る回路構成を示す説明図、図４２は第１電力中継基板６５０における電力供給に係る構成を模式的に示す説明図、図４３は中継電極６５２（７５２）の構成を示す斜視図、図４４は冷陰極管１７を表面側からカバーするランプホルダ１９の構成を示す斜視図、図４５は中継電極６５２（７５２）に冷陰極管１７を載置させた状態の構成を示す正面図、図４６は中継電極６５２（７５２）に冷陰極管１７を載置させた状態の構成を示す平面図である。
【０１０５】
［冷陰極管１７］
冷陰極管１７は、第１実施形態と同様であり、ガラス管１３４の両端部に口金１３６を備えたものである（図１３及び図１４参照）。
【０１０６】
［第１電力中継基板６５０］
次に、第１電力中継基板６５０の構成について説明する。
第１電力中継基板６５０は、冷陰極管１７への電力供給を中継する部材として機能する。図３８に示すように、第１電力中継基板６５０は、シャーシ１４の一方側縁部に沿って取り付けられた細長い絶縁基板からなる台座６５１と、この台座６５１の表面側に取り付けられた複数の中継電極６５２と、各中継電極６５２に供給される駆動電力の電流量を均一化するチップコンデンサ６５６とを備えている。台座６５１には、図４５に示すように各中継電極６５２と対応して３つずつの取付孔６５１Ｈが貫通して形成されている。
【０１０７】
中継電極６５２は、図４３に示すように、チップ状、詳しくは短冊状の導電性の金属材料からなるベース部６５３と、ベース部６５３の表面である載置面６５３ａに形成された導電性の金属材料からなる板バネ（弾性部材）６５２ａとを有して構成されている。載置面６５３ａは平坦面とされ、板バネ６５２ａは、ベース部６５３と導電位にあり、載置面６５３ａに載置される冷陰極管１７の口金１３６に対して弾反力を付与するもので、口金１３６から載置面６５３ａ側に付与される付勢力によって弾性変形するものとなっている。つまり、板バネ６５２ａは、載置面６５３ａと口金１３６との間に弾性変形した状態で介在するものとなる。一方、ベース部６５３の裏面には、３片の脚部６５７が一体形成されている。かかる中継電極６５２は、合成樹脂製のハウジング等の部材には収容されておらず、剥き出しの状態のままで、脚部６５７を台座６５１の取付孔に貫通させて半田付け等により台座６５１に対して固着されている。
【０１０８】
チップコンデンサ６５６は、全ての中継電極６５２に一対一で設けられており、且つ台座６５１上に中継電極６５２とともに配設されている。また、各チップコンデンサ６５６は電源基板（電源）１７０に対して並列接続されており、ここでは共通配線６６１に各チップコンデンサ６５６が並列して配設されている。そして、共通配線６６１から引き出される配線（ハーネス）６６０によって電源基板１７０との電気的接続が一括して行われている。
【０１０９】
［第２電力中継基板７５０］
次に、第２電力中継基板７５０の構成について説明する。
第２電力中継基板７５０は、冷陰極管１７への電力供給を中継する部材として機能する。図４０に示すように、第２電力中継基板７５０は、シャーシ１４の他方側縁部（第１電力中継基板７５０とは反対側の側縁部）に沿って取り付けられた細長い絶縁基板からなる台座７５１と、この台座７５１の表面側に取り付けられた複数の中継電極７５２と、を備えている。台座７５１には、図４５に示すように各中継電極７５２と対応して３つずつの取付孔６５１Ｈが貫通して形成されている。
【０１１０】
中継電極７５２は、中継電極６５２と同様の構成を有し、図４３に示すように、チップ状、詳しくは短冊状の導電性の金属材料からなるベース部６５３と、ベース部６５３の表面である載置面６５３ａに形成された導電性の金属材料からなる板バネ（弾性部材）６５２ａとを有して構成されている。載置面６５３ａは平坦面とされ、板バネ６５２ａは、ベース部６５３と導電位にあり、載置面６５３ａに載置される冷陰極管１７の口金１３６に対して弾反力を付与するもので、口金１３６から載置面６５３ａ側に付与される付勢力によって弾性変形するものとなっている。つまり、板バネ６５２ａは、載置面６５３ａと口金１３６との間に弾性変形した状態で介在するものとなる。一方、ベース部６５３の裏面には、３片の脚部６５７が一体形成されている。かかる中継電極７５２は、合成樹脂製のハウジング等の部材には収容されておらず、剥き出しの状態のままで、脚部６５７を台座７５１の取付孔に貫通させて半田付け等により台座７５１に対して固着されている。
【０１１１】
各中継電極７５２は、それぞれ共通配線７６１に接続されるとともに、電源基板（電源）１７０に対して並列接続されている。そして、共通配線７６１から引き出される配線（ハーネス）７６０によって電源基板１７０との電気的接続が一括して行われている。すなわち、第１電力中継基板６５０と異なり、電源基板１７０は、共通配線７６１から直接（キャパシタを介さず）中継電極７５２に接続されて電力供給を行っているのである。
【０１１２】
［ランプホルダ１９］
ランプホルダ１９は、冷陰極管１７の端部（口金１３６）を覆う部材であって、図４４に示したような構成を有している。つまり、ランプホルダ１９は、冷陰極管１７の並列方向に延びる長手状の略箱型に形成され、表面が光反射性を有した白色の合成樹脂製とされている。また、ランプホルダ１９は、その上面から冷陰極管１７の中央側及びシャーシ１４の底面側に向かって傾斜する傾斜カバー（傾斜部）２６が延出しており、その傾斜カバー２６には、冷陰極管１７を挿通するための開口部１９ａが、冷陰極管１７の数と同数で形成されている。冷陰極管１７のうち、開口部７２よりもランプホルダ１９の内側に挿入された部分（覆われた部分）において、電力中継基板６５０（７５０）を介した電源基板１７０からの電気導通が行われるものとされている。そして、本実施形態では、図４５に示すように、当該ランプホルダ１９が冷陰極管１７を上側（表面側）から押圧し、冷陰極管１７を中継電極６５２（７５２）の載置面６５３ａ側へ付勢する機能を兼備している。
【０１１３】
［電源基板１７０］
電源基板１７０は、第１実施形態と同様の構成を有し、第１電力中継基板６５０と第２電力中継基板７５０とにおいて、それぞれ逆位相の駆動電力、すなわちシャーシ１４の電位に対して逆位相の高電位となるように駆動電力が供給されている。具体的には、図５６に示すように、１つのトランス７０から逆位相の駆動電力をそれぞれ出力するものとしており、当該トランス７０は、１つの一次コイル７１に対して、相対的に巻数の多い第１の二次コイル７５と相対的に巻数の少ない第２の二次コイル７６が配された構成を有している。これにより、冷陰極管１７のコンデンサ６５６が接続された片端側（つまり第１電力中継基板６５０側）に、冷陰極管１７のコンデンサが接続されていない他端側（つまり第２電力中継基板７５０）よりも高電圧の駆動電力が供給されている。
【０１１４】
［電力供給態様］
上記の中継電極６５２（７５２）を備えた電力中継基板６５０（７５０）及びランプホルダ１９により、冷陰極管１７に対する確実な電力供給が可能とされている。
まず、中継電極６５２（７５２）は、冷陰極管１７の口金１３６をその載置面６５３ａに載置した状態で、冷陰極管１７に対する駆動電力の供給が可能となっており、逆に、冷陰極管１７を保持するようなクリップ機構は備えていない。つまり、図４５に示すように、中継電極６５２（７５２）とは別体で設けられるランプホルダ１９にて付勢された冷陰極管１７（ひいては口金１３６）を、板バネ６５２ａの弾発力により受け止め、板バネ６５２ａが載置面６５３ａと口金１３６との間に弾性変形した状態で介在することで、口金１３６と中継電極６５２（７５２）（板バネ６５２ａを含む）との確実な接触（導通）が実現されるものとなっている。
【０１１５】
以上のような第３実施形態のテレビ受信装置ＴＶによると、液晶表示装置１０が本発明に係る構成のバックライト装置（照明装置）１２を備えるため、以下のような作用効果を奏する。
【０１１６】
まず、中継電極６５２と電源基板１７０との間にチップコンデンサ６５６を介在させ、これにより、中継電極６５２のそれぞれに供給される駆動電力の電流量を均一化するものとしているため、各冷陰極管１７に供給する電流を均一（一定）化することが可能となり、共通の電源１７０により複数の冷陰極管１７を並列駆動することが可能となる。さらに、チップコンデンサ６５６が、冷陰極管１７の片側のみ、つまり第１電力中継基板６５０のみに配置したものであるため、冷陰極管１７の両側にコンデンサを配置した構成に比してコスト削減が図られている。
【０１１７】
また、電源基板１７０は、１つのトランス７０を備えるとともに、当該トランス７０から第１電力中継基板６５０及び第２電力中継基板７５０に逆位相の駆動電力をそれぞれ出力するものとしているため、別個のトランスにて逆位相の駆動電力を供給する場合に比してコスト削減が図られている。特に、本実施形態では、冷陰極管１７の両端から駆動電力が供給される場合において、冷陰極管１７に対する駆動電力の供給態様として、チップコンデンサ６５６が接続された片端側に、キャパシタが接続されていない他端側よりも高電圧の駆動電力を供給するものとしているため、冷陰極管１７の長手方向における仮想グランドの位置が中心にシフトされており、これにより輝度の左右対称性が高められている。
【０１１８】
また、電源基板１７０と冷陰極管１７を接続する電力中継基板６５０（７５０）において、中継電極６５２（７５２）が、冷陰極管１７の口金１３６を当該中継電極６５２（７５２）の載置面６５３ａに載置した状態で、冷陰極管１７に対する駆動電力の供給が可能となるものとされ、しかも冷陰極管１７を載置面６５３ａ側に付勢するランプホルダ１９を中継電極６５２（７５２）と別体で具備してなるため、中継電極６５２（７５２）が極めて簡便なチップ状の構成とされ、且つ冷陰極管１７に対する導通が確実なものとなっている。つまり、冷陰極管１７を付勢する部材（ランプホルダ１９）を中継電極６５２（７５２）と別体で設けているため、中継電極６５２（７５２）は載置面６５３ａにより口金１３６を載置するのみの構成で足り、クリップ等の保持部材により冷陰極管１７を保持ないし固定するための構成が必要ないものとなり、構成を簡便化することが可能となったのである。
【０１１９】
また、導電性の板バネ６５２ａが弾性変形した状態で口金１３６と載置面６５３ａとの間に介在するため、口金１３６と載置面６５３ａ（つまり中継電極６５２（７５２））との導通を確実にとることが可能となる。つまり、上述した通り、本実施形態では冷陰極管１７がランプホルダ１９により載置面６５３ａ側に付勢されて、口金１３６と載置面６５３ａとの接触が確実に行われるが、載置面６３５ａ側に板バネ６５２ａを付与することで、口金１３６と載置面６５３ａとの間に僅かな位置ズレ（相対移動）が生じた場合にも両者の接触を確実に確保することが可能となり、一層確実な導通を確保できるようになっている。また、中継電極６５２（７５２）、冷陰極管１７、及びランプホルダ１９において製造上の寸法誤差等が生じた場合にも、当該板バネ６５２ａがその誤差を吸収し口金１３６と載置面６５３ａとの接触を確実にとることができるものとなっている。なお、ランプホルダ１９は、冷陰極管１７を載置面６５３ａ側に付勢する機能に加えて、冷陰極管１７の非発光部分である端部、ここでは口金１３６を覆い、当該非発光部分に係る影が照明光の中に映し出されることを防止している。
【０１２０】
以下、第３実施形態の変形例について幾つか説明する。なお、各変形例においては、第３実施形態の構成部材と異なる点を主に説明するものとし、第３実施形態と同一構成の構成部材については同一符号を付して説明を省略する場合がある。
【０１２１】
［第１変形例］
中継電極６５２（７５２）の一変形例として、図４７及び図４８に示すような構成のものを採用することができる。図４７は第１変形例に係る中継電極８５２の構成を示す斜視図、図４８は中継電極８５２と冷陰極管１７の接続関係を示す説明図である。
図１６に示した中継電極８５２は、上記実施形態と同様に、チップ状、詳しくは短冊状の導電性の金属材料からなるベース部８５３と、ベース部８５３の表面である載置面８５３ａに形成された導電性の金属材料からなる板バネ（弾性部材）８５２ａとを有して構成されている。また、上記実施形態と同様、載置面８５３ａは平坦面とされ、板バネ８５２ａは、ベース部８５３と導電位にあり、載置面８５３ａに載置される冷陰極管１７の口金１３６に対して弾反力を付与するもので、口金１３６から載置面８５３ａ側に付与される付勢力によって弾性変形するものとなっている。つまり、板バネ８５２ａは、載置面８５３ａと口金１３６との間に弾性変形した状態で介在するものとなる。
【０１２２】
また、上記実施形態と同様、ベース部８５３の裏面には、３片の脚部８５７が一体形成されている。さらに、ベース部８５３の前後端部に壁部材（光源移動規制部材）８５５，８５８が形成されている。つまり、図４８に示すように、ベース部８５３の載置面８５３ａにおいて、冷陰極管１７が載置された状態で当該冷陰極管１７の軸線方向両端部から起立する壁部材８５５，８５８が形成され、冷陰極管１７の軸線方向に沿った当該冷陰極管１７の移動を規制している。なお、壁部材８５５，８５８のうち手前側（つまり冷陰極管１７の中央側）に配される壁部材８５５には、冷陰極管１７のガラス管１３４を収容するための円弧状切欠８５６が形成されている。また、冷陰極管１７の移動を規制する目的を考慮すると、少なくとも奥側（つまり冷陰極管１７の端部側）に配される壁部材８５８のみを配設し、手前側の壁部材２５５は省略するものとしても良い。
【０１２３】
本例の中継電極８５２も、上記実施形態の中継電極６５２（７５２）と同様、合成樹脂製のハウジング等の部材には収容されておらず、剥き出しの状態のままで、脚部８５７を台座８５１の取付孔８５１Ｈに貫通させて半田付け等により台座８５１に対して固着され、第１電力中継基板或いは第２電力中継基板を構成する。
【０１２４】
［第２変形例］
中継電極６５２（７５２）の異なる変形例として、図４９及び図５０に示すような構成のものを採用することができる。図４９は第２変形例に係る中継電極９５２の構成を示す斜視図、図５０は中継電極９５２と冷陰極管１７の接続関係を示す説明図である。
図４９に示した中継電極９５２は、チップ状、詳しくは短冊状の導電性の金属材料からなるベース部９５３と、ベース部９５３の表面である載置面９５３ａに形成された導電性の金属材料からなる円弧状のカップ部材（円弧状受容部材）９５９と、カップ部材９５９の底面に形成された板バネ（弾性部材）９５２ａとを有して構成されている。カップ部材９５９は、冷陰極管１７の口金１３６の下端側、つまり口金１３６の管周のうち半分以下を受容可能な構成とされ、冷陰極管１７の軸線方向に交わる方向の断面形状が、半円以下の円弧形状を有して構成されている。
【０１２５】
また、上記実施形態と同様、板バネ９５２ａは、ベース部９５３及びカップ部材９５９と導電位にあり、図５０に示すように、口金１３６がカップ部材９５９に受け入れられた状態で、カップ部材９５９の載置面９５９ａに載置される口金１３６に対して弾反力を付与するもので、口金１３６から載置面９５９ａ側に付与される付勢力によって弾性変形するものとなっている。つまり、板バネ９５２ａは、載置面９５９ａと口金１３６との間に弾性変形した状態で介在するものとなる。
【０１２６】
また、上記実施形態と同様、ベース部９５３の裏面には、３片の脚部９５７が一体形成されている。さらに、ベース部９５３の前後端部に壁部材（光源移動規制部材）９５５，９５８が形成されている。つまり、載置面９５９ａに沿って冷陰極管１７が載置された状態で当該冷陰極管１７の軸線方向両端部から起立する壁部材９５５，９５８が形成され、冷陰極管１７の軸線方向に沿った当該冷陰極管１７の移動を規制している。なお、壁部材９５５，９５８のうち前方側（つまり冷陰極管１７の中央側）に配される壁部材９５８には、冷陰極管１７のガラス管１３４を収容するための円弧状切欠９５６が形成されている。また、冷陰極管１７の移動を規制する目的を考慮すると、少なくとも奥側（つまり冷陰極管１７の端部側）に配される壁部材９５８のみを配設し、手前側の壁部材９５５は省略するものとしても良い。
【０１２７】
本例の中継電極９５２も、上記実施形態の中継電極６５２（７５２）と同様、合成樹脂製のハウジング等の部材には収容されておらず、剥き出しの状態のままで、脚部９５７を台座９５１の取付孔９５１Ｈに貫通させて半田付け等により台座９５１に対して固着され、第１電力中継基板或いは第２電力中継基板を構成する。そして、本例の中継電極９５２では、口金１３６の下端側を受容するカップ部材９５９を備えるため、冷陰極管１７（口金１３６）をある程度位置決めすることができるようになっている。特に、冷陰極管１７（口金１３６）の下半分を受容する構成であるため、冷陰極管１７をクリップ等で挟持する構成に比して、当該カップ部材９５９が損傷することもなく、補強部材等の特別の部材を別途付加する必要もないものとなっている。
【０１２８】
［第３変形例］
冷陰極管１７の位置決め手段として、ランプクリップ２８０を備えるものとしても良い。図５１はランプクリップ２８０と冷陰極管１７の関係を示す説明図、図５２はランプクリップ２８０の構成を示す正面図である。
ランプクリップ２８０は、図５１及び図５２に示すように、冷陰極管１７をシャーシ１４に取付固定するための部材であって、シャーシ１４に宛がわれるベース板（取付板）２８１と、ベース板２８１から冷陰極管１７側に突出して冷陰極管１７を保持可能とされる保持部２８２と、ベース板２８１からシャーシ１４側に突出して、シャーシ１４に配された取付孔１４Ｈを介してシャーシ１４の裏面側に係止される係止部２８４と、ベース板２８１から冷陰極管１７側に突出し、冷陰極管１７よりも表面側に配された光学部材１５を支持するための支持ピン２８３と、を備えて構成されている。
【０１２９】
上記実施形態に係る構成では、中継電極６５２，７５２は、冷陰極管１７の並び方向への位置決め機能を有してなく、ランプホルダ１９の開口部１９ａ（図４４参照）のみにより位置決めがなされている。そこで、本例に係るランプクリップ２８０を採用し、冷陰極管１７の位置決め（特に並び方向に対する位置決め）を行うものとすることで、冷陰極管１７の設置作業性も向上し、また冷陰極管１７が位置ズレする等の不具合も極めて生じ難いものとなる。また、ランプクリップ２８０は、当該ランプクリップ２８０により冷陰極管１７を保持しつつシャーシ１４側に取り付ける構成であるため、冷陰極管１７をシャーシ１４側に付勢する機能も有している。従って、この場合、冷陰極管１７の中継電極６５２，７５２の載置面側への付勢も同時に行うことが可能となる。
【０１３０】
［第４変形例］
光源被覆部材たるランプホルダ１９の一変形例として、図５３に示すような構成のものを採用することができる。図５３は、第４変形例に係るランプホルダ１９０の長手方向に交わる断面構成を示す説明図である。
【０１３１】
本例のランプホルダ１９０は、その開口部１９ａに緩衝部材１９５を有しており、図５３に示すようにランプホルダ１９０が冷陰極管１７の少なくとも口金１３６部分を覆った状態で、ランプホルダ１９０と冷陰極管１７との間に緩衝部材１９５が介在するものとなっている。緩衝部材１９５は、ランプホルダ１９０と冷陰極管１７との間における機械的な衝撃を緩和させる部材であって、本実施形態ではスポンジ状のポロンが用いられている。
【０１３２】
このような構成により、ランプホルダ１９０が過度に冷陰極管１７を付勢し、当該冷陰極管１７を傷つけたり破壊したりする不具合の発生を防止している。つまり、緩衝部材１９５により付勢力が緩和され、且つ適度な載置面６５３ａとの接触を確保することが可能とされている。なお、緩衝部材１９５としては、布部材等の付勢力を吸収可能な部材であれば特に限定されるものではない。
【０１３３】
［第５変形例］
光源被覆部材たるランプホルダ１９の異なる変形例として、図５４に示すような構成のものを採用することができる。図５４は、第５変形例に係るランプホルダ１９１の長手方向に交わる断面構成を示す説明図である。
【０１３４】
本例のランプホルダ１９１は、傾斜カバー２６のうち開口部１９ａ側の部分、つまり冷陰極管１７に当接して冷陰極管１７を載置面６５３ａ側に付勢する付勢部１９６が、蛇腹状に構成されて弾性変形可能とされている。このような付勢部１９６を備えたランプホルダ１９１によると、ランプホルダ１９１が過度に冷陰極管１７を付勢し、当該冷陰極管１７を傷つけたり破壊したりする不具合の発生を防止することが可能となる。つまり、蛇腹状に構成されて弾性変形する付勢部１９６により付勢力が緩和され、且つ適度な載置面６５３ａとの接触を確保することが可能とされている。
【０１３５】
［第６変形例］
中継電極６５２の異なる変形例として、図５５に示すような構成のものを採用することができる。図５５は第６変形例に係る中継電極１０５２と冷陰極管１７の接続関係を示す説明図である。
【０１３６】
図５５に示した中継電極１０５２は全体が導電性ゴムからなり、チップ状、詳しくは短冊状のベース部１０５３と、ベース部１０５３の前後端部に配された壁部材（光源移動規制部材）１０５５，１０５８と、ベース部１０５３の裏面側に配された脚部１０５７とを有して構成されている。この場合、中継電極１０５２全体が導電性ゴムからなるため、当該中継電極１０５２に対して弾性を付与することができるものとなっている。この弾性により口金１３６と載置面１０５３ａとの間に僅かな位置ズレ（相対移動）が生じた場合にも両者の接触を確実にとることが可能となり、一層確実な導通を確保できるものとされている。また、中継電極１０５２、冷陰極管１７、及びランプホルダ１９において製造上の寸法誤差等が生じた場合にも、当該弾性が誤差を吸収し口金１３６と載置面１０５３ａとの接触を確実にとることができるものとされている。なお、上述した第２変形例と同様、壁部材１０５５，１０５８は、載置面１０５３ａに冷陰極管１７が載置された状態で、冷陰極管１７の軸線方向に沿った当該冷陰極管１７の移動を規制している。
【０１３７】
＜他の実施形態＞
（１）上記各実施形態において並列駆動される放電管は冷陰極管に限らず、例えば熱陰極管であってもよい。
（２）また、液晶表示装置１０の表示パネル１１は、スイッチング素子がＴＦＴであるものに限らず、スイッチング素子がＭＩＭ（Metal Insulator Metal）等、ＴＦＴ以外のものであってもよい。また、本発明の表示装置としては、液晶表示装置に限らず、表示パネルの背面側に照明装置を必要する種々の表示装置が含まれる。
【符号の説明】
【０１３８】
ＴＶ…テレビ受信装置、１０…液晶表示装置（表示装置）、１１…表示パネル（液晶パネル）、１２…バックライト装置（照明装置）、１４…シャーシ、１７…冷陰極管（放電管）、４２…アウターリード、５６…コンデンサ、６１…絶縁基板（絶縁部材）、６２…開口部、７０…トランス、７１…一次コイル、７５…第１の二次コイル、７６…第２の二次コイル、１３４…ガラス管、１３５…アウターリード、１３６…口金、１５０…第１光源保持部材、２５０…第２光源保持部材、１５１，２５１…支持板（支持部材）、１５２，２５２…クリップ端子（接続端子）、１５８，２５８…電源接続用コネクタ（電源接続部）、１７０…電源基板（電源）、３５０…第１中継部材、４５０…第２中継部材、３５１，４５１…支持板（支持部材）、３５２，４５２…中継本体部、３５６…キャパシタ（コンデンサ）、３５８，４５８…開口部、６５０…第１電力中継基板、７５０…第２電力中継基板、６５１，７５１…台座、６５２，７５２，８５２，９５２，１０５２…中継電極、６５６…チップコンデンサ
【図１】
2010097995.tif 000003
【図２】
2010097995.tif 000004
【図３】
2010097995.tif 000005
【図４】
2010097995.tif 000006
【図５】
2010097995.tif 000007
【図６】
2010097995.tif 000008
【図７】
2010097995.tif 000009
【図８】
2010097995.tif 000010
【図９】
2010097995.tif 000011
【図１０】
2010097995.tif 000012
【図１１】
2010097995.tif 000013
【図１２】
2010097995.tif 000014
【図１３】
2010097995.tif 000015
【図１４】
2010097995.tif 000016
【図１５】
2010097995.tif 000017
【図１６】
2010097995.tif 000018
【図１７】
2010097995.tif 000019
【図１８】
2010097995.tif 000020
【図１９】
2010097995.tif 000021
【図２０】
2010097995.tif 000022
【図２１】
2010097995.tif 000023
【図２２】
2010097995.tif 000024
【図２３】
2010097995.tif 000025
【図２４】
2010097995.tif 000026
【図２５】
2010097995.tif 000027
【図２６】
2010097995.tif 000028
【図２７】
2010097995.tif 000029
【図２８】
2010097995.tif 000030
【図２９】
2010097995.tif 000031
【図３０】
2010097995.tif 000032
【図３１】
2010097995.tif 000033
【図３２】
2010097995.tif 000034
【図３３】
2010097995.tif 000035
【図３４】
2010097995.tif 000036
【図３５】
2010097995.tif 000037
【図３６】
2010097995.tif 000038
【図３７】
2010097995.tif 000039
【図３８】
2010097995.tif 000040
【図３９】
2010097995.tif 000041
【図４０】
2010097995.tif 000042
【図４１】
2010097995.tif 000043
【図４２】
2010097995.tif 000044
【図４３】
2010097995.tif 000045
【図４４】
2010097995.tif 000046
【図４５】
2010097995.tif 000047
【図４６】
2010097995.tif 000048
【図４７】
2010097995.tif 000049
【図４８】
2010097995.tif 000050
【図４９】
2010097995.tif 000051
【図５０】
2010097995.tif 000052
【図５１】
2010097995.tif 000053
【図５２】
2010097995.tif 000054
【図５３】
2010097995.tif 000055
【図５４】
2010097995.tif 000056
【図５５】
2010097995.tif 000057
【図５６】
2010097995.tif 000058
【国際調査報告】
2010097995.tif 000059
2010097995.tif 000060
2010097995.tif 000061
2010097995.tif 000062